(57)【特許請求の範囲】
【請求項１】
表面パネルと、表面パネルを保持する上枠及び下枠と、表面パネルを支持するリブパネルと、リブパネルに沿って縦方向に設ける補強部材とを備え、上枠はその長手方向に摺動自在に躯体に連結し、下枠は躯体に連結し、リブパネルは表面パネルを保持する上枠及び下枠に保持されているものであり、室外側部を表面パネルに連結し、室内側部を補強部材に連結し、補強部材は上端を上枠に固定し下端が躯体に支持されていることを特徴とするサッシ。
【請求項２】
補強部材は鋼材であることを特徴とする請求項１に記載のサッシ。
【発明の詳細な説明】
【０００１】
【発明の属する技術分野】
本発明は、サッシに関する。
【０００２】
【従来の技術】
表面ガラスを、室内側に設けたリブガラス（リブパネル）に固定し、室内の室外に対する正圧または負圧に対して、表面ガラスを支持する構成が公知である（実開昭６３−７６１１９号公報）。
【０００３】
【発明が解決しようとする課題】
しかしながら、このリブガラスのみで表面ガラスを支持したのでは、リブガラスに充分な強度が得られないため、リブガラスの強度を高める要求がある。
【０００４】
そこで、本発明の目的は、リブパネルの強度を高めることができるサッシを提供することにある。
【０００５】
【課題を解決するための手段】
請求項１に記載の発明は、表面パネルと、表面パネルを保持する上枠及び下枠と、表面パネルを支持するリブパネルと、リブパネルに沿って縦方向に設ける補強部材とを備え、上枠はその長手方向に摺動自在に躯体に連結し、下枠は躯体に連結し、リブパネルは表面パネルを保持する上枠及び下枠に保持されているものであり、室外側部を表面パネルに連結し、室内側部を補強部材に連結し、補強部材は上端を上枠に固定し下端が躯体に支持されていることを特徴とする。
【０００６】
この請求項１に記載の発明では、室内と室外との圧力差や外の風圧によって表面パネルの室内側に負圧又は正圧がかかった場合に、リブパネルがかかる力に対して表面パネルを支持する。このリブパネルはその室内側部を補強部材が支持することによって、リブパネルの強度が高められている。また、地震や風等により躯体が変位し、上枠が室内方向又は室外方向に移動した場合には、補強部材は、上枠に追従して移動するので、上枠と補強部材とに連結されているリブパネルに過剰な力が作用するのを防止し、リブパネルの破損を防止する。
【０００７】
【０００８】
また、地震や風により建物の躯体が揺れて相対水平変位が生じた場合に、上枠と躯体とは上枠の長手方向に摺動自在であるから、サッシの上枠に対して躯体は表面パネルの左右方向に移動する。この場合、補強部材は上枠に固定されているので、補強部材は上枠に追従し、補強部材に対しても躯体のみが移動する。従って、上枠と補強部材とは相対水平変位に対して同じ位置にあるので、リブパネルではその室外側部と室内側部との位置ずれによる力が生じにくいので、かかる力によるリブパネルの破損を防止する。
【０００９】
請求項２に記載の発明は、請求項１に記載の発明において、補強部材は鋼材であることを特徴とする。
【００１０】
この請求項２に記載の発明では、リブパネルを高い強度で支持することができる。
【００１１】
【発明の実施の形態】
以下に、添付図面の図１乃至図８を参照して、本発明の実施の形態を詳細に説明する。図８に全体的外観を示すように、サッシ３は、各表面ガラス（表面パネル）５を上枠７と下枠９とでそれぞれ保持しており、隣合う表面ガラス５の間に後述する弾性シーラント（弾性部材）１１を介在させて固定している。表面ガラス５は、その室内側において縦方向に配置したリブガラス（リブパネル）１３に支持されており、室内と室外との圧力差や風を受けて表面ガラス５が室内側又は室外側に移動したり、抜けないようにしている。
【００１２】
リブガラス１３は、図１及び図２に示すように、表面ガラス５と同じ板状のガラスを縦方向に設け、平面から見て表面ガラス５と略Ｔ字を形成するように配置している。即ち、リブガラス１３の室外側端部にＴ字形状の弾性シーラント１１の後端を接着し、弾性シーラント１１の先端側の両側面に隣合う表面ガラス５の端面を接着している。リブガラス１３の室内側端部は、ガラスエッジ材１７にシール材１９を介して保持されている。このガラスエッジ材１７は、補強部材１５の突部１５ａにボルト２１により固定している。図３及び図５に示すように、リブガラス１３の上端は上枠７に保持されており、図４及び図６に示すように、リブガラス１３の下端は下枠９に保持されている。
【００１３】
補強部材１５は、鋼材でできており、リブガラス１３を室内又は室外（奥行き方向）方向の力に対して支持している。この補強部材１５は、リブガラス１３の室内側縁に沿って縦方向に設けており、その上部は躯体に対して連結されておらず自由な状態になっており、下端はファスナー２７の縦溝に係合するボルト２８及び自重受け２９により躯体から支持されている。尚、リブガラス１３は、その下端が下枠９に載置されている。
【００１４】
ここで、図１及び図３を参照して上枠７の摺動構造について説明する。上枠７には、２つの案内溝３１、３１が平行に形成されたレール部材３３がビス３２により固定されている。これらの案合溝３１、３１は上枠７の長手方向に沿って形成されている。尚、これらの案内溝３１、３１には、ブラッケト３５に固定された摺動子３６が係合されており、ブラッケト３５は、ファスナー２５により躯体に固定されている。従って、上枠７は躯体に対して、上枠７の長手方向に摺動可能である。
【００１５】
次に、上枠７と補強部材１５との固定構造について説明する。図１及び図３に示すように、補強部材１５には、その上部にブラケット３７が溶接により固定されており、このブラケット３７はボルト３９及びナット４１により上枠７に固定されている。このように、上枠７と補強部材１５とが固定されているので、補強部材１５は上枠７の動きに追従することができる。
【００１６】
次に、本実施の形態にかかる作用を説明する。室内と室外との圧力差や風圧によって表面ガラス５の室内側に負圧又は正圧がかかった場合に、かかる負圧又は正圧に対して表面ガラス５が室内側又は室外側に移動しようとするが、この力に対してリブガラス１３が表面ガラス５を支持する。リブガラス１３は補強部材１５によりその強度が高められている。また、補強部材１５は、上枠７に固定されているので、表面ガラス５の室内側及び室外側方向の力に対して充分に支持することができる。一方、上枠７が室内側又は室外側に移動した場合には、補強部材１５は、上枠７に追従して移動するので、上枠７と補強部材１５とに連結されているリブガラス１３に過剰な力が作用するのを防止し、リブガラス１３の破損を防止する。
【００１７】
地震や風により建物の躯体が揺れて相対水平変位が生じた場合には、上枠７に対して躯体に固定された摺動子３６が案内溝３１を摺動し、上枠７に対して躯体は上枠７の左右方向に移動する。この場合、補強部材１５は上枠７に固定されているが、躯体には固定されていないので、補強部材１５は上枠７とともにある。従って、補強部材１５は躯体に対して上枠７とともに留まるので、補強部材１５に対しても躯体のみが移動する。従って、リブガラス１３は、その室外側部を表面ガラス５に固定され室内側部を補強部材１５に固定されているので、このリブガラス１３には相対水平変位により位相の変化がほとんどなく、リブガラス１３の破損が防止できる。
【００１８】
図７には、表面ガラス５とリブガラス１３との連結部分の変形例を示す。この変形例では、隣り合う表面ガラス５の対峙する端部間の室内側にパネル取付け部材５１を設け、このパネル取付け部材５１にリブガラス１３の室外側部を保持している。また、この図７に示す構成では、隣合う表面ガラス５の端部に表面ガラス保持部材５３を表面ガラス５の室外側から係合させ、この表面ガラス保持部材５３をパネル取付け部材５１に係止させて、表面ガラス５が外側にずれたり、外れたりするのを防止している。
【００１９】
本発明は上述した実施の形態に限らず、本発明の要旨を逸脱しない範囲で種々変形可能である。
【００２０】
例えば、上枠７と躯体との摺動は、躯体側に案溝３１を設け、上枠７側に摺動子３６を設ける構成であってもよい。
【００２１】
【発明の効果】
請求項１に記載の発明によれば、リブパネルの強度を高めることができる。また、上枠に室内外方向の移動が生じた場合にもリブパネルの破損を防止できる。
【００２２】
また、躯体に相対水平変位が生じた場合に、リブパネルの破損を防止する。
【００２３】
請求項２に記載の発明によれば、リブパネルを高い強度で支持することができる。
【００２４】
【図面の簡単な説明】
【図１】本発明の実施の形態にかかるサッシの上枠及びその周囲を示す斜視図である。
【図２】図１に示すサッシの横断面図である。
【図３】図１に示す上枠及びその周囲を示す縦断面図である。
【図４】サッシの下枠及びその周囲を示す縦断面図である。
【図５】図１に示すサッシの上枠及びその周囲を、下から見た状態を一部切り欠いて示す斜視図である。
【図６】図１に示すサッシの下枠及びその周囲を、上から見た状態を一部切り欠いて示す斜視図である。
【図７】他の実施の形態にかかるサッシの横断面図である。
【図８】本発明の実施の形態にかかるサッシの全体的な外観を示す正面図である。
【符号の説明】
３ サッシ
５ 表面ガラス（表面パネル）
７ 上枠（横枠）
１３ リブガラス（リブパネル）
１５ 補強部材
３１ 案内溝
３３ レール部材
３６ 摺動子
【図１】
0003555921.tif 000002
【図２】
0003555921.tif 000003
【図３】
0003555921.tif 000004
【図４】
0003555921.tif 000005
【図５】
0003555921.tif 000006
【図６】
0003555921.tif 000007
【図７】
0003555921.tif 000008
【図８】
0003555921.tif 000009